(57)【要約】【課題】嵌合作業を容易なものとし、耐久性の低下を抑制することができるコネクタを提供すること。【解決手段】本発明によるコネクタ１は、雌端子２と筐体３を備える雌コネクタ４と、雄端子５と筐体３を外包して嵌合可能な外包筐体６を備える雄コネクタ７とを備え、雌端子２が雄端子５に対する接点２ａと自由端部２ｂを備え、自由端部２ｂを嵌合完了時に雄端子５に接近する方向に押圧する押圧手段３ａ、８、６を備えることを特徴とする。【選択図】図１
2009104840.tif 000002
【特許請求の範囲】
【請求項１】
雌端子と筐体を備える雌コネクタと、雄端子と前記筐体を外包して嵌合可能な外包筐体を備える雄コネクタとを備え、前記雌端子が前記雄端子に対する接点と自由端部を備え、当該自由端部を前記嵌合完了時に前記雄端子に接近する方向に押圧する押圧手段を備えることを特徴とするコネクタ。
【請求項２】
前記押圧手段が、前記筐体の前記嵌合方向に垂直な方向に設けられた溝部と、当該溝部に摺動自在に設けられる板状部材と、前記外包筐体の内周面により構成されることを特徴とする請求項１に記載のコネクタ。
【請求項３】
前記板状部材の前記内周面との接触部分にテーパ部分又は円形柱状部分を備えることを特徴とする請求項２に記載のコネクタ。
【請求項４】
前記雌端子を複数備えるとともに、前記板状部材が前記雌端子に対応する穴部を備え、当該穴部の内周面が前記嵌合完了時において前記自由端部を押圧することを特徴とする請求項３に記載のコネクタ。
【請求項５】
前記板状部材が任意の組合せの前記自由端部を前記嵌合完了時において押圧しないことを特徴とする請求項３又は４に記載のコネクタ。
【発明の詳細な説明】
【技術分野】
【０００１】
本発明は、乗用車、トラック、バス等の車両又は家庭用、業務用の電子機器相互間の電気接続に適用されて好適なコネクタに関する。
【背景技術】
【０００２】
電子装置相互間又は基板に電子装置を接続するコネクタとしては、例えば特許文献１に記載されたようなものがある。このコネクタは、雌端子を備える雌コネクタと、雄端子を備える雄コネクタとを備え、雌端子に接圧調整用の延長部を備え、この延長部を雌コネクタの備える内筒が挿入時においては規制し、挿入後においては解放して延長部が雌コネクタのハウジングに設けられた穴部に突出させることが行われている。これにより、接続後においては、雌端子と雄端子の接圧を高め、嵌合後の雌端子及び雄端子間の接触の信頼性を高め、嵌合時においては、雌端子と雄端子の接圧を低くして嵌合に必要な力を軽減している。
【特許文献１】特開２００６−３１０１１１号公報
【発明の開示】
【発明が解決しようとする課題】
【０００３】
ところが、このようなコネクタにおいては、延長部を備えた雌端子を雌コネクタの内筒に挿入するにあたり、雌端子の延長部を内筒の内周面よりも径方向内側に圧縮しながら挿入する必要があり、挿入作業に必要な労力が大きくなり、挿入時の過大な応力により雌端子が劣化してコネクタとしての耐久性が低下することが懸念されるという問題があった。
【０００４】
本発明は、上記問題に鑑み、嵌合作業を容易なものとし、耐久性の低下を抑制することができるコネクタを提供することを目的とする。
【課題を解決するための手段】
【０００５】
上記の問題を解決するため、本発明に係るコネクタは、
雌端子と筐体を備える雌コネクタと、雄端子と前記筐体を外包して嵌合可能な外包筐体を備える雄コネクタとを備え、前記雌端子が前記雄端子に対する接点と自由端部を備え、当該自由端部を前記嵌合完了時に前記雄端子に接近する方向に押圧する押圧手段を備えることを特徴とする。
【０００６】
ここで、前記押圧手段が、前記筐体の前記嵌合方向に垂直な方向に設けられた溝部と、当該溝部に摺動自在に設けられる板状部材と、前記外包筐体の内周面により構成されることを特徴とすることが好ましい。
【０００７】
これによれば、前記溝部に挿入された前記板状部材が、前記外包筐体に前記筐体が挿入されて前記雄コネクタに対して前記雌コネクタが嵌合完了となる時において、前記板状部材の前記外包筐体の内周面と接触する部分が前記筐体の内方に押し込まれて、前記板状部材のいずれかの部位が、前記自由端部を前記嵌合完了時に前記雄端子に接近する方向に押圧することができる。
【０００８】
このことにより、前記嵌合完了時において前記接点の前記雄端子に対する接圧を高めることができるので、前記嵌合完了後の前記雌端子と前記雄端子の接続後においては、前記雌端子と前記雄端子の接圧を高め、接続後の前記雌端子と前記雄端子との間の接触の信頼性を高め、前記嵌合完了前においては、前記雌端子と前記雄端子の接圧を低くして嵌合に必要な力を軽減して、前記嵌合作業を容易なものとすることができる。
【０００９】
また、前記嵌合完了前の嵌合作業時において前記雌端子に対して前記押圧による力が作用することを防止することができるので、前記雌端子ひいては前記コネクタの耐久性の低下を抑制することができる。
【００１０】
さらに、前記筐体に前記雌端子を挿入するにあたって、前記雌端子の自由端部が前記筐体に押し付けられることを防止することができるので、これによっても、前記雌端子に過大な応力が作用して前記雌端子ひいては前記コネクタの耐久性が低下することを防止することができる。
【００１１】
なお、当該接圧を高めるメカニズムは、前記自由端部が前記嵌合完了前において前記雌端子のいずれかの部位に拘束されているかどうかにより異なる。すなわち、前記自由端部が前記雌端子のいずれかの部位に拘束されていない場合には、前記自由端部が押圧されると、前記接点の両側部が拘束されることにより、前記接点の両側部が両持ちバネとなることによりバネ定数が大きくなって前記接圧を高めることができる。
【００１２】
また、前記自由端部が前記雌端子のいずれかの部位に拘束されている場合には、前記自由端部が押圧されると、前記接点の前記自由端部と反対側に形成される側部がバネ作用を有するとともに、この側部を押圧するストロークが、前記雄端子との接触によるストロークと、前記自由端部が押圧されることによるストロークを合わせたものとすることができるので、前記接圧を高めることができる。
【００１３】
ここで、前記板状部材の前記内周面との接触部分にテーパ部分又は円形柱状部分を備えることが好ましい。
【００１４】
これによれば、前記溝部に挿入された前記板状部材が、前記外包筐体に前記筐体が挿入されて前記雄コネクタに対して前記雌コネクタが嵌合完了となる過程において、前記板状部材が前記筐体の内方に押し込まれるにあたっての、前記板状部材の挙動をよりスムーズなものとすることができる。
【００１５】
さらに、前記雌端子を複数備えるとともに、前記板状部材が前記雌端子に対応する穴部を備え、当該穴部の内周面が前記嵌合完了時において前記自由端部を押圧することを特徴とすることが好ましい。
【００１６】
これによれば、前記雌端子が複数存在する前記コネクタにおいても、前記嵌合完了時において前記接点の前記雄端子に対する接圧を高めることができるので、前記嵌合完了後の前記雌端子と前記雄端子の接続後においては、前記雌端子と前記雄端子の接圧を高め、接続後の雌端子及び雄端子間の接触の信頼性を高めるとともに、前記嵌合完了前においては、前記雌端子と前記雄端子の接圧を低くして嵌合に必要な力を軽減することができる。
【００１７】
特に、前記雌端子が前記筐体に対してマトリクス状に複数段に配置される場合においても、前記板状部材に対応する複数の穴部をマトリクス状に複数段設けることにより、上述したように、前記嵌合完了後の前記雌端子と前記雄端子の接続後においては、前記雌端子と前記雄端子の接圧を高め、接続後の雌端子及び雄端子間の接触の信頼性を高め、前記嵌合完了前においては、前記雌端子と前記雄端子の接圧を低くして嵌合に必要な力を軽減することができる。
【００１８】
さらに、前記板状部材が任意の組合せの前記自由端部を前記嵌合完了時において押圧しないことを特徴としてもよい。これによれば、前記複数の雌端子の内、前記雄端子に対する接圧を前記嵌合完了後において高める必要がないものについては、選択的に前記接圧を高めないものとすることができる。
【００１９】
なお、前記嵌合完了時及び完了後において、前記自由端部を前記板状部材が押圧しないためには、前記嵌合完了時において前記外包筐体の内周面により、前記板状部材が前記筐体の内方に押し込まれるストロークより大きい隙間を、前記嵌合完了前において、前記板状部材のいずれかの部位例えば穴部と前記自由端部とが有していることが必要となる。
【発明の効果】
【００２０】
本発明によれば、嵌合作業を容易なものとし、耐久性の低下を抑制することができるコネクタを提供することができる。
【発明を実施するための最良の形態】
【００２１】
以下、本発明を実施するための最良の形態について、添付図面を参照しながら説明する。
【実施例１】
【００２２】
図１は、本発明に係わるコネクタの一実施形態を示す雄端子を含んで示す模式断面図である。図２は、本発明に係わるコネクタの一実施形態を示す模式斜視図である。図３は、本発明に係わるコネクタの一実施形態を示す模式斜視図である。
【００２３】
図１に示すように、コネクタ１は、雌端子２と筐体３を備える雌コネクタ４と、平板状の雄端子５と筐体３を外包して嵌合可能な外包筐体６を備える雄コネクタ７とを備え、雌端子２が雄端子５に対する接点２ａと自由端部２ｂを備え、自由端部２ｂを嵌合完了時に雄端子５に接近する方向に押圧する押圧手段を備える。雌端子２は配線９に電気的に接続され、雄端子５は配線１０に電気的に接続される。なお、図１（ａ）は嵌合完了前の状態を、図１（ｂ）は嵌合完了時及び嵌合完了後の状態を示す。
【００２４】
この押圧手段は、筐体３の外包筐体６に対する嵌合方向に垂直な方向に設けられた溝部３ａと、溝部３ａに摺動自在に設けられるリテーナ８と、外包筐体６の内周面により構成される。このリテーナ８は板状部材を構成する。このリテーナ８の外包筐体６の内周面との接触部分にはテーパ部分８ａが備えられる。
【００２５】
このリテーナ８の下部は雌端子２の自由端部２ｂにより嵌合完了前において支えられるとともに、テーパ部分８ａのみが溝部３ａから上方に突出して、嵌合完了時において外包筐体６の内周面に接触するテーパ部分８ａにより、リテーナ８全体が下方に誘導される。
【００２６】
コネクタ１においては、雌端子２をマトリクス状かつ複数段にて複数備えるとともに、板状部材８が雌端子２に対応する穴部８ｂを備え、この穴部８ｂの内周面ここでは下面が、雌コネクタ４の雄コネクタ７に対する嵌合完了時において、雌端子２の自由端部２ｂを雄端子５に接近する方向に押圧する。
【００２７】
また、図２（ａ）（ｂ）に示すように、雌コネクタ４は、導体よりなる金属板をプレス加工して構成される雌端子２と、リテーナ８と、筐体３とから構成される。雌端子２の自由端部２ｂは、図３（ａ）に示すように、雌端子２の本体部２ｃに設けられた穴２ｄから上方に突出するように設けられ、筐体３にリテーナ８を挿入した後、雌端子２を筐体３に挿入し、雌コネクタ４を雄コネクタ７に嵌合するにあたり、図１（ｂ）図３（ｃ）に示すように、リテーナ８が外包筐体６の内周面とテーパ部部分８ａの誘導作用により内方に押し込まれることにより、リテーナ８の穴部８ｂの下面が自由端部２ｂを雄端子５に接近する方向に押圧し押し込む。
【００２８】
さらに、図３（ａ）に示すように、雌端子２は、本体部２ｃから筐体３側に突出する部分をプレス加工により折り曲げて、接点２ａ、自由端部２ｂが構成され、接点２ａに対向する面にはビード２ｅがこれもプレス加工により構成されている。本体部２ｃの筐体３と反対側には、配線９と電気的に接続される接続部２ｆが構成され、接点２ａの筐体３側には折り曲げ部２ｇが構成される。
【００２９】
このように構成される雌端子２において、リテーナ８により自由端部２ｂを嵌合完了時において雄端子５に接近する方向に押し込むことにより、雌端子２の接点２ａの雄端子５に対する接圧を高めることができる。なお、嵌合完了時においては、雄端子５は接点２ａとビード２ｅの上下方向隙間を広げるように、接点２ａを押し上げて雌端子２のビード２ｅと接点２ａとの間に挟持される。
【００３０】
以上述べた本実施例１のコネクタ１によれば、以下のような作用効果を得ることができる。すなわち、溝部３ａに挿入されたリテーナ８が、外包筐体６に筐体３が挿入されて雄コネクタ７に対して雌コネクタ４が嵌合完了となる時において、リテーナ８の外包筐体６の内周面と接触する部分であるテーパ部分８ａが筐体３の内方に押し込まれて、リテーナ８の穴部８ｂの下面が、雌端子２の自由端部２ｂを嵌合完了時に雄端子５に接近する方向に押圧することができる。
【００３１】
このことにより、雌コネクタ４を雄コネクタ７に嵌合完了した時において接点２ａの雄端子５に対する接圧を高めることができるので、嵌合完了後の雌端子２と雄端子５の接続後においては、雌端子２と雄端子５の接圧を高め、接続後の雌端子２と雄端子５との間の接触の信頼性を高めることができる。これとともに、嵌合完了前においては、雌端子２と雄端子５の接圧を低くして嵌合に必要な力を軽減して、嵌合作業を容易なものとすることができる。
【００３２】
また、嵌合完了前の嵌合作業時において雌端子２に対して押圧による力が作用することを防止することができるので、雌端子２ひいてはコネクタ１の耐久性が低下してしまうことを抑制することができる。
【００３３】
さらに、筐体３に雌端子２を挿入するにあたって、雌端子２の自由端部２ｂが筐体３に押し付けられることを防止することができるので、これによっても、雌端子２に過大な応力が作用して雌端子２ひいてはコネクタ１の耐久性が低下することを防止することができる。
【００３４】
実施例１に示したコネクタ１においては、自由端部２ｂが雌端子２のいずれかの部位に拘束されていない場合であるので、自由端部２ｂがリテーナ８により押圧されると、接点２ａの両側部である、自由端部２ｂと折り曲げ部２ｇが拘束されることにより、接点２ａの両側部が両持ちバネとなることにより、図３（ｄ）に示すように、バネ定数Ｋ１がＫ２へと大きくなり、雄端子５の厚みにより接点２ａが押し込まれるストロークＳが同じであっても、バネ定数の上昇に伴って接圧をＦ１からＦ２へと高めることができる。
【００３５】
さらに、リテーナ８の外包筐体６の内周面との接触部分にテーパ部分８ａを備えることにより、溝部３ａに挿入されたリテーナ８が、外包筐体６に筐体３が挿入されて雄コネクタ７に対して雌コネクタ４が嵌合完了となる過程において、リテーナ８が筐体３の内方に押し込まれるにあたっての、リテーナ８の筐体３の内方への挙動をよりスムーズなものとすることができる。
【００３６】
さらに、雌端子２を複数備えるとともに、リテーナ８が雌端子２に対応する穴部８ｂを備え、穴部８ｂの内周面ここでは下面が嵌合完了時において自由端部２ｂを押圧することにより、雌端子２が複数段存在するコネクタ１においても、嵌合完了時において接点２ａの雄端子５に対する接圧を高めることができるので、嵌合完了後の雌端子２と雄端子５の接続後においては、雌端子２と雄端子５の接圧を高め、接続後の雌端子２及び雄端子５間の接触の信頼性を高め、嵌合完了前においては、雌端子２と雄端子５の接圧を低くして嵌合に必要な力を軽減することができる。
【００３７】
特に、本実施例１のコネクタ１のように雌端子２が筐体３に対してマトリクス状に複数段に配置される場合においても、リテーナ８に対応する複数の穴部８ｂをマトリクス状に複数段設けることにより、上述したように、嵌合完了後の雌端子２と雄端子５の接続後においては、雌端子２と雄端子５の接圧を高め、接続後の雌端子２及び雄端子５間の接触の信頼性を高め、嵌合完了前においては、雌端子２と雄端子５の接圧を低くして嵌合に必要な力を軽減することができる。
【００３８】
上述した実施例１のコネクタ１においては、雌端子２の自由端部２ｂを雌端子２の本体部２ｃが拘束しない形態のものとしたが、拘束する形態を採用することもできる。以下それについての実施例を述べる。
【実施例２】
【００３９】
図４は、本発明に係わるコネクタの他の実施形態を示す模式斜視図である。なお、雌端子２の形態以外の構成については実施例１に示したものと同様であるため、同一の構成要素については同一の符号を付して、重複する説明は割愛する。
【００４０】
図４（ａ）に示すように、雌端子２は、導体よりなる金属板をプレス加工して構成され、雌端子２の自由端部２ｂは、雌端子２の本体部２ｃに設けられた穴２ｄから上方に突出することなく、本端部２ｃの下面に接触するように設けられ、筐体３にリテーナ８を挿入した後、雌端子２を筐体３に挿入し、雌コネクタ４を雄コネクタ７に嵌合するにあたり、図４（ｂ）（ｃ）に示すように、リテーナ８が外包筐体６の内周面により内方に押し込まれることにより、リテーナ８の穴部８ｂの下面に形成された突部８ｃが自由端部２ｂを雄端子５に接近する方向に押し込む。
【００４１】
さらに、図４（ａ）に示すように、雌端子２は、本体部２ｃから筐体３側に突出する部分をプレス加工により折り曲げて、接点２ａ、自由端部２ｂが構成されている。本体部２ｃの筐体３と反対側には、配線９と電気的に接続される接続部２ｆが構成され、接点２ａの筐体３側には折り曲げ部２ｇが構成される。
【００４２】
このような形態のコネクタ１においては、自由端部２ｂが雌端子２のいずれかの部位ここでは本体部２ｃに拘束されている場合であるので、自由端部２ｂが押圧されると、接点２ａの自由端部２ｂと反対側に形成される側部である折り曲げ部２ｇがバネ定数Ｋのバネ作用を有することとなる。
【００４３】
これとともに、図４（ｄ）に示すように、この折り曲げ部２ｇを押圧するストロークＳ１が雄端子５との接触によるストロークと、自由端部２ｂが押圧されることによるストロークを合わせたものＳ２となって、ストロークを大きくすることができるので、接圧をストロークＳ１における接圧Ｆ１よりも大きい、ストロークＳ２における接圧Ｆ２として、接圧を高めることができる。
【００４４】
上述した実施例１及び２においては、コネクタ１が雌端子２を複数備えたものとしたが、単数のものとすることもできる。以下それについての実施例をのべる。
【実施例３】
【００４５】
図５は本発明に係わるコネクタを示す模式斜視図である。なお、雌端子２の個数以外の構成については実施例１に示したものと同様であるため、同一の構成要素については同一の符号を付して、重複する説明は割愛する。
【００４６】
図５（ａ）（ｂ）に示すように、雌コネクタ４は、導体よりなる金属板をプレス加工して構成される雌端子２と、単一の穴部８ｂを備えるリテーナ８と、筐体３とから構成される。雌端子２の自由端部２ｂは、図５（ａ）に示すように、雌端子２の本体部２ｃに設けられた穴２ｄから上方に突出するように設けられ、筐体３にリテーナ８を挿入した後、雌端子２を筐体３に挿入し、雌コネクタ４を雄コネクタ７に嵌合するにあたり、リテーナ８が外包筐体６の内周面により内方に押し込まれることにより、リテーナ８の穴部８ｂの下面が自由端部２ｂを雄端子５に接近する方向に押圧して押し込む。
【００４７】
さらに、図５（ａ）に示すように、雌端子２は、本体部２ｃから筐体３側に突出する部分をプレス加工により折り曲げて、接点２ａ、自由端部２ｂが構成されている。本体部２ｃの筐体３と反対側には、配線９と電気的に接続される接続部２ｆが構成され、接点２ａの筐体３側には折り曲げ部２ｇが構成される。
【００４８】
このように構成される雌端子２においても、リテーナ８により自由端部２ｂを嵌合完了時において雄端子５に接近する方向に押し込むことにより、雌端子２の接点２ａの雄端子５に対する接圧を高めることができる。
【００４９】
なお、本実施例３においては、雌端子２が単一である場合であるので、リテーナ８は図５（ｃ）に示すように、穴部８ｂより下部を省略した形態のものとすることもできる。また、実施例１に示したコネクタ１においても、雌端子２が複数段ではなく一段配列にて形成されている場合にはこのように穴部８ｂを省略した形態とすることができる。
【００５０】
上述した実施例１〜３においては、コネクタ１が雌端子２の自由端部２ｂを下方に押し込む形態のとしたが、左右方向に押し込む形態のものとすることもできる。以下それについての実施例をのべる。
【実施例４】
【００５１】
図６は本発明に係わるコネクタを示す模式斜視図である。なお、リテーナ８の形態と押し込み方向以外の構成については実施例１に示したものと同様であるため、同一の構成要素については同一の符号を付して、重複する説明は割愛する。
【００５２】
図６（ｂ）に示すように、コネクタ１の筐体３には左右方向に延在する溝部３ａが構成され、この溝部３ａの左右方向に摺動可能なリテーナ８が設けられる。リテーナ８の左端部には、雄コネクタ７側の外包筐体６の内周面に接触するテーパ部分８ａが備えられる。さらに、リテーナ８には複数の雌端子２に対応するマトリクス状の複数段の穴部８ｂが設けられ、穴部８ｂの下面には、傾斜面８ｄが設けられる。
【００５３】
雌端子２は、導体よりなる金属板をプレス加工して構成され、雌端子２の自由端部２ｂは、雌端子２の本体部２ｃに設けられた穴２ｄから上方に突出するように設けられ、自由端部２ｂの左側には傾斜面２ｈが設けられる。
【００５４】
筐体３にリテーナ８を左方向から挿入した後、雌端子２を筐体３に挿入し、雌コネクタ４を雄コネクタ７に嵌合するにあたり、図６（ｃ）（ｄ）に示すように、リテーナ８が外包筐体６の左側の内周面により右側に押し込まれることにより、リテーナ８の穴部８ｂの下面の傾斜面８ｄが自由端部２ｂの傾斜面２ｈを下方に押圧して、自由端部２ｂは雄端子５に接近する方向に押圧される。
【００５５】
つまり、リテーナ８の穴部８ｂの下面の傾斜面８ｄと、自由端部２ｂの傾斜面２ｈの傾斜角により、リテーナ８の左から右方向への押し込み力を、下方に変換して、自由端部２ｂが雄端子５に接近する方向に押圧される。
【００５６】
このように構成されるコネクタ１においても、リテーナ８により自由端部２ｂを嵌合完了時において雄端子５に接近する方向に押圧することにより、雌端子２の接点２ａの雄端子５に対する接圧を高めることができる。
【００５７】
以上述べた実施例１〜３のコネクタ１においては、複数の雌端子２の内全ての自由端部２ｂをリテーナ８により押圧される構成としているが、所定の組合せの雌端子２の自由端部２ｂのみを押圧する構成とすることもできる。以下それについての実施例について述べる。
【実施例５】
【００５８】
図７は本発明に係わるコネクタのリテーナを嵌合方向から視て示す模式図である。なお、リテーナ８以外の構成については、実施例１の図２に示したものと同様であるため重複する説明は割愛する。
【００５９】
つまり、図７に示すように、リテーナ８の穴部８ｂのうち、雌端子２の接点２ａの接圧を高める必要がない部位８ｂ１、８ｂ２、８ｂ３、８ｂ４については、穴部８ｂの上下方向の寸法を大きくし、嵌合完了時において外包筐体６の内周面により、リテーナ８が筐体３の内方に押し込まれるストロークより大きい隙間を、嵌合完了前において、リテーナ８の穴部８ｂと自由端部２ｂの間で確保する。
【００６０】
これにより、リテーナ８が任意の組合せの雌端子２の自由端部２ｂを嵌合完了時において押圧しないことを実現することができる。これによれば、複数の雌端子２の内、雄端子５に対する接圧を嵌合完了後において高める必要がないものについては、選択的に前記接圧を高めないものとすることができる。
【００６１】
以上本発明の好ましい実施例について詳細に説明したが、本発明は上述した実施例に制限されることなく、本発明の範囲を逸脱することなく、上述した実施例に種々の変形および置換を加えることができる。
【００６２】
例えば、上述した実施例においては、リテーナ８の外包筐体６の内周面に接触する部分を、テーパ部分８ａとしたが、これに換えて、円形柱状部分とすることもできる。これによっても、外包筐体６に筐体３が挿入されて雄コネクタ７に対して雌コネクタ４が嵌合完了となる過程において、リテーナ８が筐体３の内方に押し込まれるにあたっての、リテーナ８の挙動をよりスムーズなものとすることができる。
【００６３】
さらに、上述した実施例４においては、雌端子２の接点２ａを上側としているが、雌端子２の接点２ａを左側に、ビード２ｅを右側となるように雌端子２を左右方向に配置して、リテーナ８の穴部８ｂを単純な長方形状とし、穴部８ｂの左側の内周面により、雌端子２の自由端部２ｂを押圧する構成とすることもできる。
【００６４】
つまり、外包筐体６に対する筐体３の嵌合方向と、リテーナ８の移動方向、自由端部２ｂの押圧方向を適宜組み合わせて、コネクタ１を構成することができる。
【産業上の利用可能性】
【００６５】
本発明は、嵌合作業を容易なものとし、耐久性の低下を抑制することができるコネクタに関するものであり、比較的軽微な変更により、所望の効果を得ることができるので、乗用車、トラック、バス等の様々な車両に用いられるコネクタはもとより家庭用、オフィス用、産業上の電子機器に適用して有益なものである。
【図面の簡単な説明】
【００６６】
【図１】本発明に係るコネクタの一実施形態を示す模式図である。
【図２】本発明に係るコネクタの一実施形態を示す模式図である。
【図３】本発明に係るコネクタの一実施形態を示す模式図である。
【図４】本発明に係るコネクタの一実施形態を示す模式図である。
【図５】本発明に係るコネクタの一実施形態を示す模式図である。
【図６】本発明に係るコネクタの一実施形態を示す模式図である。
【図７】本発明に係るコネクタの一実施形態を示す模式図である。
【符号の説明】
【００６７】
１      コネクタ
２      雌端子
２ａ    接点
２ｂ    自由端部
２ｃ    本体部
２ｄ    穴
２ｅ    ビード
２ｆ    接続部
２ｇ    折り曲げ部
２ｈ    傾斜面
３      筐体
３ａ    溝部
４      雌コネクタ
５      雄端子
６      外包筐体
７      雄コネクタ
８      リテーナ
８ａ    テーパ部分
８ｂ    穴部
８ｃ    突部
８ｄ    傾斜面
９      配線
１０      配線
【図１】
2009104840.tif 000003
【図２】
2009104840.tif 000004
【図３】
2009104840.tif 000005
【図４】
2009104840.tif 000006
【図５】
2009104840.tif 000007
【図６】
2009104840.tif 000008
【図７】
2009104840.tif 000009